(57)【要約】【課題】携帯電話機で撮影した画像の分類・整理を容易にする。【解決手段】図３（ａ）に示すような撮影条件が記憶されている場合、撮影モード中にレリーズボタン４０が押下された場合はメーカーの設定したデフォルトの撮影条件に従った撮影、テンキーボタン４２の「１」が押下された場合は白黒撮影、「２」が押下された場合はマクロ撮影が行われる。図３（ｂ）に示すフォルダ指定条件の場合、撮影後にレリーズボタン４０、テンキーボタン４２の「１」、「２」が押下されると、それぞれ撮影された画像はメモリカード２３の通常フォルダ、家族フォルダ、会社フォルダに記憶される。【選択図】  図３
2005286410.tif 000002
【特許請求の範囲】
【請求項１】
被写体を撮像し、被写体像を表す画像を出力する撮像手段と、
複数の操作ボタンを含み、各操作ボタンは前記撮像の開始を受け付ける操作手段と、
画像の分類に関する条件を各操作ボタンに対応させて記憶する条件記憶手段と、
前記撮像の開始を受け付けた操作ボタンに対応した画像の分類に関する条件に基づき、前記撮像手段から出力された画像を記憶媒体に記憶する記憶制御手段と、
を備えることを特徴とする携帯電話機。
【請求項２】
前記条件は前記画像を記憶するフォルダであることを特徴とする請求項１に記載の携帯電話機。
【請求項３】
前記各操作ボタンに対応するフォルダを前記記憶媒体に作成するフォルダ作成手段をさらに備えることを特徴とする請求項２に記載の携帯電話機。
【請求項４】
前記条件は撮影条件であり、前記撮像手段は前記撮像の開始を受け付けた操作ボタンに対応した撮影条件で撮像することを特徴とする請求項１〜３のいずれかに記載の携帯電話機。
【請求項５】
前記条件を表示装置に表示させる表示制御手段をさらに備えることを特徴とする請求項１〜４のいずれかに記載の携帯電話機。
【発明の詳細な説明】
【技術分野】
【０００１】
本発明は携帯電話機に関し、特に被写体を撮影するカメラ機能を有する携帯電話機に関する。
【背景技術】
【０００２】
近年、ＣＣＤカメラなどのカメラ機能を備え、カメラにより撮影した画像を外部の記録媒体に大量保存できる携帯電話機が広く普及している。撮影された画像を外部の記録媒体に記録する際、記録した画像の整理・検索を便利にする技術としては、例えば特許文献１のように記録するデータサイズに応じて記録媒体を選択するものがある。特許文献１によると、２つのメディアスロットにおけるメディアの挿入状態が判定される。２つのメディアスロットのいずれにもメディアが挿入されている場合、記録するファイルサイズが閾値よりも大きいか否かの判定を行う。そして、ファイルサイズが閾値よりも小さければ記憶容量の小さいメディアが挿入されているスロットを記録用のメディアスロットとして選択し、ファイルサイズが閾値よりも大きければ記憶容量の大きいメディアが挿入されているスロットを記録用のメディアスロットとして選択する。このようにすれば、各記録媒体に格納されるファイルの数の平均化を図ることができ、記録後の画像ファイルの整理、検索に便利である。一方、２つのメディアスロットのいずれか一方のスロットにのみメディアが挿入されている場合、そのメディアスロットが記録用のメディアスロットと選択される。
【特許文献１】特開２００１−２４５２４８号公報、段落００５７〜００６５
【発明の開示】
【発明が解決しようとする課題】
【０００３】
ところが、上述の特許文献１の技術において、記録媒体に格納するファイルの数の平均化を図るためには複数の記録媒体を必要とし、また記録媒体が１つだけの場合に格納するファイルの数の平均化を図る技術は具体的に開示されていない。本発明は以上の問題点に鑑み、記録媒体に依存することなく携帯電話機で撮影した画像の分類・整理を容易にすることを目的とする。
【課題を解決するための手段】
【０００４】
上記課題を解決するため、請求項１に係る発明は、被写体を撮像し、被写体像を表す画像を出力する撮像手段と、複数の操作ボタンを含み、各操作ボタンは前記撮像の開始を受け付ける操作手段と、画像の分類に関する条件を各操作ボタンに対応させて記憶する条件記憶手段と、前記撮像の開始を受け付けた操作ボタンに対応した画像の分類に関する条件に基づき、前記撮像手段から出力された画像を記憶媒体に記憶する記憶制御手段と、を備えることを特徴とする携帯電話機である。
【０００５】
この発明によると、撮像の開始を受け付けた操作ボタンに対応した画像の分類に関する条件に基づいて画像が記憶媒体に記憶される。従って、操作ボタンの操作によって撮影を開始するとともに、合わせて画像の分類に関する条件を指定することができる。そして、画像は指定された分類に基づいて記憶されるため、この記憶媒体に記憶された画像の分類や整理が容易となる。
【０００６】
請求項２に係る発明は、前記条件は前記画像を記憶するフォルダであることを特徴とする請求項１に記載の携帯電話機である。
【０００７】
請求項３に係る発明は、前記各操作ボタンに対応するフォルダを前記記憶媒体に作成するフォルダ作成手段をさらに備えることを特徴とする請求項２に記載の携帯電話機である。
【０００８】
請求項４に係る発明は、前記条件は撮影条件であり、前記撮像手段は前記撮像の開始を受け付けた操作ボタンに対応した撮影条件で撮像することを特徴とする請求項１〜３のいずれかに記載の携帯電話機である。
【０００９】
請求項５に係る発明は、前記条件を表示装置に表示させる表示制御手段をさらに備えることを特徴とする請求項１〜４のいずれかに記載の携帯電話機である。
【発明の効果】
【００１０】
上記発明によると、撮像の開始を受け付けた操作ボタンに対応した画像の分類に関する条件に基づいて画像が記憶媒体に記憶される。従って、操作ボタンの操作によって撮影を開始するとともに、合わせて画像の分類に関する条件を指定することができる。そして、画像は指定された分類に基づいて記憶されるため、この記憶媒体に記憶された画像の分類や整理が容易となる。
【発明を実施するための最良の形態】
【００１１】
以下、添付した図面を参照し本発明の好ましい実施例を説明する。
【実施例１】
【００１２】
（１）機能構成
図１は、本発明の好ましい実施例である携帯電話機１の機能構成図である。この携帯電話機１は、ＣＣＤなどの電子カメラ１１、画像処理部１２、送信部１５、アンテナ１６、操作部１８、制御部２１、メモリカード２３が着脱されるカードインターフェース２２、画像データの表す画像を表示する液晶ディスプレイなどで構成される表示部３１を備えている。
【００１３】
操作部１８は、後述のように複数の操作ボタンで構成されており、電子カメラ１１による撮影を開始する操作などの所定操作の入力を受け付け、操作が行われた旨を示す信号（以下、操作信号という）を制御部２１に出力する。操作部１８の構成例は後述する。電子カメラ１１は、操作信号の出力に応じ、被写体の像を受光面に結像させて光電変換し、画像データとして画像処理部１２に出力する。画像処理部１２は、電子カメラ１１から出力された画像データの画素数の変更、シャープネス補正、ガンマ補正、コントラスト補正、ホワイトバランス補正などの処理を行う。
【００１４】
送信部１５は、制御部２１の制御に従って画像データを符号化し、アンテナ１６あるいはカードインターフェース２２に出力する。アンテナ１６は、画像データを搬送波により他の携帯電話機などに無線送信する。制御部２１は、ＭＣＵ（MicroController Unit）などで構成され、画像データのサンプリングタイミング制御、電子カメラ１１の絞りやシャッタースピードなどの露光制御、フォーカス制御、ズーム制御などを行う。制御部２１の行うその他の処理については後述する。また、携帯電話機１は、他の電話と無線接続して音声信号を送受信する無線通信回路、音声入力するマイクロフォン、受信した音声信号を音声出力するスピーカなどをさらに備えているが、詳細は省略する。
【００１５】
図２は、操作部１８に含まれるボタンの構成例である。図２に示すように、表示部３１の下方には、レリーズボタン４０が配置されており、レリーズボタン４０の右には電話番号、文字、画像データの指定・選択を実行する十字ボタン４１、下方には電話番号を直接入力するテンキーボタン４２が配置される。携帯電話機１は、レリーズボタン４０を長押しすることで撮影モードに移行し、テンキーボタン４２の「クリア」ボタンの押下で撮影モードを終了する。そして、撮影モード中にレリーズボタン４０あるいはテンキーボタン４２のうちいずれかのボタン（以下、これらを単にボタンで表記することもある）を押下することで撮影を開始する。即ち、従来の携帯電話機と異なり、テンキーボタン４２を押下しても撮影が開始されるが、詳細は後述する。なお、表示部３１には、ボタンの押下操作に応じて撮影された静止画像のみならず、操作前の画像（動画、又は間欠画）も表示される。
【００１６】
制御部２１は、図３に示すように操作部１８の各ボタンに対応する条件を記憶している。各ボタンに対応する条件とは、例えば各ボタンに対応する撮影条件（例えば、白黒撮影、マクロ撮影、ワイドフォーカス撮影、解像度など）であるが、図３（ａ）に示すような撮影条件が記憶されている場合、撮影モード中にレリーズボタン４０が押下された場合はメーカーの設定したデフォルトの撮影条件に従った撮影、テンキーボタン４２の「１」が押下された場合は白黒撮影、「２」が押下された場合はマクロ撮影が行われる。
【００１７】
また、制御部２１は、各ボタンに対応する条件として、撮影した画像をメモリカード２３に存在するフォルダのうちどのフォルダに記憶させるかをボタンの押下により指定するフォルダ指定条件を記憶している。例えば、図３（ｂ）に示すフォルダ指定条件の場合、撮影後にレリーズボタン４０、テンキーボタン４２の「１」、「２」が押下されると、それぞれ撮影された画像はメモリカード２３の通常フォルダ、家族フォルダ、会社フォルダに記憶される。なお、以上の撮影条件及びフォルダ指定条件はあくまで一例であり、操作部１８の操作によりユーザが任意に変更・追加・削除・更新可能にしてもよく、例えばテンキーボタン４２のボタン「３」には「個人フォルダ」を対応させるようにフォルダ指定条件を変更してもよい。
【００１８】
（２）画像記憶処理
以下、図３のフローチャートに基づき、制御部２１の実行する画像記憶処理の流れを説明する。この処理は、レリーズボタン４０またはテンキーボタン４２の押下に応じ、押下されたボタンに対応する撮影条件で撮影を行い、さらにレリーズボタン４０またはテンキーボタン４２の押下に応じて押下されたボタンに対応するフォルダに撮影した画像を記憶する。この処理は、上述の撮影モードに移行したときに開始する。
【００１９】
Ｓ１１では、制御部２１はレリーズボタン４０またはテンキーボタン４２のうちいずれかのボタンが押下されたことを操作信号により検知する。いずれかのボタン押下が検知された場合はＳ１２へ移行し、ボタンの押下を検知しなかった場合は押下を待機する。Ｓ１２では、制御部２１は記憶された撮影条件を参照し、Ｓ１１で押下が検知されたボタンに対応する撮影条件で電子カメラ１１に被写体を撮影させる。
【００２０】
Ｓ１３では、制御部２１はいずれかのボタン押下により、メモリカード２３にフォルダを作成する旨の指示を受け付ける。フォルダ作成が指示された場合はＳ１４に移行し、フォルダ作成が指示されなかった場合はＳ１５に移行する。Ｓ１４では、Ｓ１３で押下されたボタンに対応するフォルダをメモリカード２３に作成した上、図３（ｂ）に示すようなフォルダ指定情報に新たに作成したフォルダ及び対応するボタンを追加する。なお、図示しないが、不要なフォルダをボタン押下により指定して削除できるような処理を設けてもよい。
【００２１】
Ｓ１５では、制御部２１は図３（ｂ）に示すようなフォルダ指定情報を表示部３１に表示する。なお、図３（ｂ）のようにフォルダの名称をそのまま表示する代わりに、各フォルダを端的に示すアイコンをボタン名と対応させて表示してもよい。このようにすれば、フォルダとボタンの対応を表示部３１の限られたスペースの中で容易に把握できる。Ｓ１６では、制御部２１は表示部３１に表示されたフォルダ指定情報の中から任意のフォルダをボタン押下により選択させる。いずれかのボタンが押下されてフォルダが選択された場合はＳ１７に移行し、選択されない場合は選択があるまでボタン押下を待機する。Ｓ１７では、制御部２１はＳ１２で撮影した画像をＳ１６で選択されたフォルダに記憶させる。
【００２２】
（３）本実施例に係る携帯電話機の特徴
上述のように、レリーズボタン４０またはテンキーボタン４２のうちいずれかのボタンが押下されると、押下されたボタンに対応する撮影条件で撮影が開始される（Ｓ１２）。従って、撮影モード中に任意のボタンを押下することで、そのボタンに対応して設定された好みの撮影条件で撮影を行うことができる。
【００２３】
また、撮影後にレリーズボタン４０またはテンキーボタン４２のうちいずれかのボタンを押下することで、押下されたボタンに対応するフォルダに撮影された画像が記憶される（Ｓ１７）。従って、撮影した画像を各フォルダに振り分けることができ、画像の整理や検索が容易となる。また、レリーズボタン４０またはテンキーボタン４２のうちいずれかのボタンに対応するフォルダを作成できる（Ｓ１４）ため、ユーザがボタンに対応するフォルダを任意に作成することでさらに画像の整理が容易となる。
【実施例２】
【００２４】
上述の実施例１では、撮影条件、フォルダ指定条件は図３（ａ）、（ｂ）に示すように別個に記憶していたが、撮影条件とフォルダ指定条件を一つの条件の中に含めてもよい。例えば、図５に示すように、レリーズボタン４０またはテンキーボタン４２のうちいずれかのボタンと、撮影条件と、フォルダとを対応させた条件を制御部２１に記憶させてもよいそして、制御部２１は、撮影モード中にレリーズボタン４０またはテンキーボタン４２のうちいずれかのボタンが押下された場合、押下されたボタンに対応する撮影条件で撮影を行い、得られた画像を上記押下されたボタンに対応するフォルダに記憶するようにしてもよい。このようにすれば、撮影条件ごとに分類されているフォルダにその撮影条件で撮影された画像が記憶されることとなり、画像の整理・分類が容易となる。なお、実施例１と同様に、ユーザが操作部１８の操作により任意にボタンと対応する撮影条件・フォルダを変更できるようにしてもよく、また各ボタンに対応するフォルダの作成を行えるようにしてもよい。
【実施例３】
【００２５】
上述の実施例２においては、各ボタンに全く撮影条件を対応させないようにしてもよく、あるいはどのボタンにも同一の撮影条件を対応させてもよい。この場合、制御部２１は、実施例１のＳ１６のように撮影された画像を記憶するフォルダの選択を受け付けず、Ｓ１１で操作されたボタンに対応するフォルダに撮影された画像を直ちに記憶するようにしてもよい。このようにすれば、撮影時に押下するボタンで直ちに画像を記憶するフォルダが指定されることになり、撮影後にいちいちフォルダを選択する必要がなくなる。
【実施例４】
【００２６】
上記実施例１〜３において、制御部２１は図６に示すように、撮影した画像と、どのボタンを押下してその画像を撮影したかを対応させた管理ファイルを作成するようにしてもよい。そして、制御部２１は、パソコンやＰＤＡなどの外部機器に画像を出力する場合はこの管理ファイルも合わせて出力し、外部機器が画像及び管理ファイルを受信した場合、この管理ファイルを読み出した上、ボタンに対応したフォルダをハードディスクなどの記録媒体に作成し、このフォルダ内に画像を記憶させるようにしてもよい。このようにすれば、撮影時に押下したボタンに応じて外部機器においても画像を分類・整理できる。
【図面の簡単な説明】
【００２７】
【図１】本発明の好ましい実施例に係る携帯電話機の機能構成図。
【図２】操作部に含まれるボタンの一例。
【図３】ボタンと対応させた条件の一例。
【図４】画像記憶処理の流れを示すフローチャート。
【図５】ボタンと対応させた条件の他の例。
【図６】管理ファイルの一例。
【符号の説明】
【００２８】
１・・携帯電話機、１１・・電子カメラ、１２・・画像処理部、１５・・送信部、１８・・操作部、２１・・制御部、２２・・カードＩ／Ｆ、２３・・メモリカード、３１・・表示部
【図１】
2005286410.tif 000003
【図２】
2005286410.tif 000004
【図３】
2005286410.tif 000005
【図４】
2005286410.tif 000006
【図５】
2005286410.tif 000007
【図６】
2005286410.tif 000008